(57)【要約】【課題】ヘッダとソケットとの嵌合を強固にロックしつつも、挿脱の容易性に優れるコネクタを提供する。【解決手段】ソケット１０は、ソケット本体１２の周壁部１４に、内外を貫通する貫通孔であるロック穴１９を有し、ヘッダ３０は、ソケット本体１２の溝部１３との嵌合面であるヘッダ本体３２の外側壁面から外側に向かって延在するフック形状のロック片３８を有する。この場合、ロック片３８は、ロック穴１９と位置的と対応して設けられており、ソケット本体１２とヘッダ本体３２とが嵌合することにより、フック形状の先端部がロック穴１９に挿入されてこのロック穴１９と係合する。【選択図】      図６
2008270098.tif 000002
【特許請求の範囲】
【請求項１】
第１の回路基板の端子に接続されるコンタクトおよび当該コンタクトが配設されるソケット本体を有するソケットと、第２の回路基板の端子に接続されるポストおよび当該ポストが配設されるヘッダ本体を有するヘッダとで構成され、前記ソケット本体の周壁部の内側に設けられる溝部に前記ヘッダ本体を挿入して嵌合することにより、前記コンタクトと前記ポストとが接触するコネクタにおいて、
前記ソケットは、前記ソケット本体の周壁部に、内外を貫通する貫通孔であるロック穴を有し、
前記ヘッダは、前記溝部との嵌合面である前記ヘッダ本体の外側壁面から外側に向かって延在するフック形状のロック片を有し、
前記ロック片は、前記ロック穴と位置的と対応して設けられており、前記ソケット本体と前記ヘッダ本体とが嵌合することにより、先端部が前記ロック穴に挿入されて当該ロック穴と係合することを特徴とするコネクタ。
【請求項２】
前記ロック片は、前記先端部が自由端に構成された板バネ構造を有することを特徴とする請求項１に記載されたコネクタ。
【請求項３】
前記ソケットは、前記ソケット本体の周壁部の外側壁面の底部から外側方向に延在するとともに、先端部が前記ロック穴に臨むように折り曲げられたロック解除ピンをさらに有し、
前記ロック解除ピンは、外力に応じて自身が変形することにより、前記先端部を前記ソケット本体の外側方向から前記ロック穴に挿入可能であることを特徴とする請求項１または２に記載されたコネクタ。
【発明の詳細な説明】
【技術分野】
【０００１】
本発明は、コネクタに関する。
【背景技術】
【０００２】
従来より、例えば、対向する２枚のプリント基板を相互に電気的に接続するコネクタが知られている（例えば、特許文献１参照）。
【０００３】
この類のコネクタは、図１１に示すように、ソケット５０と、ヘッダ６０とで構成されている。ソケット５０は、略矩形状を有する樹脂成型品であり、周縁部よりも内側に位置する内周部には、周囲面よりも窪んだ枠形状の溝部５２が形成されている。また、ヘッダ６０は、略矩形状を有する樹脂成型品であり、ソケット５０よりもひとまわり程度小さな寸法に設定されている。ヘッダ６０は、周縁部よりも内側に位置する内部領域が凹状に窪んでおり、周縁部に略枠形状の周壁部が形成されている。
【０００４】
ソケット５０の一対の長手辺には、等ピッチで配置された複数のコンタクト５１がそれぞれ設けられており、ヘッダ６０の一対の長手辺には、等ピッチで配置された複数のポスト６１がそれぞれ設けられている。コンタクト５１およびポスト６１は、帯状の金属材を曲成することによって形成される。
【０００５】
このコネクタは、ソケット５０の溝部５２にヘッダ６０の凸形状の周壁部を挿入することにより、両者が嵌合する。この際、ソケット５０側のコンタクト５１と、ヘッダ６０側のポスト６１とがそれぞれ接触する。ソケット５０のコンタクト５１およびヘッダ６０のポスト６１には、それぞれプリント配線板のような別々の回路基板（図示せず）の端子が半田付けによって接続されており、これにより、一対のプリント配線板の間が電気的に接続される。
【０００６】
ここで、図１２に示すように、ヘッダ６０には、その一対の短手辺のそれぞれに、ソケット５０に挿入されるヘッダ６０を保持するためのＬ字形状のフック部６３を備えた保持金具６２が設けられている。この保持金具６２は、外側（ソケット５０の嵌合面側）に突出する突起（ロックダボ）６３が形成されている。一方、ソケット５０には、一対の短手辺側における溝部５２の外側壁部（ヘッダ６０との嵌合面側）に、凹状に陥没したロック凹部５３が形成されている。このロック凹部５３は、ヘッダ６０側のロックダボ６４と位置的と対応して形成されており、ソケット５０とヘッダ６０とが嵌合した際に、ロックダボ６４と係合する。ロック凹部５３とロックダボ６４との係合により、ソケット５０とヘッダ６０との嵌合をロックすることができる。
【特許文献１】特開２００５−１９１４４号公報
【発明の開示】
【発明が解決しようとする課題】
【０００７】
ところで、ソケット側のロック凹部と、ヘッダ側のロックダボとの係合の程度、すなわち、機械的な干渉幅（かかりしろ）が大きい場合には、ヘッダとソケットとの間の係合が強固となる。そのため、ヘッダがソケットから容易に抜け落ちるといった事態を抑制することができるが、その反面、機器の保守点検といったケースにおいて、ソケットに対するヘッダの挿脱が困難となり、コネクタを破壊してしまう可能性がある。
【０００８】
このため、ロック凹部とロックダボとのかかりしろは、適切な挿脱力が得られる程度に設定する必要がある。よって、ヘッダとソケットとを完全なロック状態にすることが困難となり、落下の衝撃などといったように、大きな外力によってヘッダとソケットとの係合が安易に解除されてしまう可能性がある。
【０００９】
本発明は、このような事情に鑑みてなされたものであり、その目的は、ヘッダとソケットとの嵌合を強固にロックしつつも、挿脱の容易性に優れるコネクタを提供することである。
【課題を解決するための手段】
【００１０】
かかる課題を解決するために、本発明は、第１の回路基板の端子に接続されるコンタクトおよびこのコンタクトが配設されるソケット本体を有するソケットと、第２の回路基板の端子に接続されるポストおよびこのポストが配設されるヘッダ本体を有するヘッダとで構成され、ソケット本体の周壁部の内側に設けられる溝部にヘッダ本体を挿入して嵌合することにより、コンタクトとポストとが接触するコネクタを提供する。このコネクタにおいて、ソケットは、ソケット本体の周壁部に、内外を貫通する貫通孔であるロック穴を有し、ヘッダは、溝部との嵌合面であるヘッダ本体の外側壁面から外側に向かって延在するフック形状のロック片を有する。このロック片は、ロック穴と位置的と対応して設けられており、ソケット本体とヘッダ本体とが嵌合することにより、先端部がロック穴に挿入されてこのロック穴と係合する。
【００１１】
また、本発明において、ロック片は、先端部が自由端に構成された板バネ構造を有する。
【００１２】
また、本発明において、ソケットは、ソケット本体の周壁部の外側壁面の底部から外側方向に延在するとともに、先端部がロック穴に臨むように折り曲げられたロック解除ピンをさらに有する。このロック解除ピンは、外力に応じて自身が変形することにより、先端部をソケット本体の外側方向からロック穴に挿入可能である。
【発明の効果】
【００１３】
本発明によれば、ソケットからヘッダが外れそうになったとしても、ロック穴とロック片とが機械的に干渉することにより、ソケット本体とヘッダ本体との嵌合を強固にロックすることができる。また、ロック穴は貫通孔であるため、このロック穴を介して、ソケット本体の外側からロック片の先端部を内側方向に変形させることにより、ロック穴とロック片との係合状態が解除される。そのため、ソケットとヘッダとの挿脱を容易に行うことができる。
【発明を実施するための最良の形態】
【００１４】
（第１の実施形態）
図１は、本発明の第１の実施形態にかかるコネクタを模式的に示す斜視図である。本実施形態にかかるコネクタは、ソケット１０と、ヘッダ３０とで構成されている。ソケット１０は、複数のコンタクト１１と、複数のコンタクト１１が配設されるソケット本体１２とを主体に構成されており、一方、ヘッダ３０は、複数のポスト３１と、複数のポスト３１が配設されるヘッダ本体３２とを主体に構成されている。ソケット１０の個々のコンタクト１１は、プリント配線板のような第１の回路基板（図示せず）の複数の端子にそれぞれが半田付けによりそれぞれ接続されており、ヘッダ３０の個々のポスト３１は、プリント配線板のような第２の回路基板（図示せず）の複数の端子に半田付けによりそれぞれ接続されている。このコネクタは、ソケット本体１２とヘッダ本体３２とを接続し、複数のコンタクト１１と複数のポスト３１とを各々接触させることによって、一対の回路基板の間を電気的に接続する。
【００１５】
図２は、ソケット１０を模式的に示す斜視図である。ソケット１０のソケット本体１２は、細長の略矩形状に形成された樹脂成型品である。ソケット本体１２は、周縁領域よりも内側に位置する内周部に凹形状に窪んだ略枠形状の溝部１３が形成されており、この溝部１３によって周壁部１４と中央凸部１５とが隔てられている。ソケット本体１２には、長手方向の中心線に対して両側に、複数のコネクタ溝１６が長手方向に沿ってそれぞれ並設されている。個々のコネクタ溝１６には、コンタクト１１がそれぞれ設けられている。また、ソケット本体１２の一対の短手辺側の周壁部３４には、その中央部に、周壁部３４の一部が切断されて不連続となるような開口がそれぞれ形成されており、また、その開口を塞ぐように、溝部１３側から保持プレート１７がそれぞれ設けられている。個々の保持プレート１７は、金属製のプレートであり、自身の溝部１３に挿入されるヘッダ３０を保持する機能を担っているとともに、ソケット本体１２の周壁部１４の一部として機能する。
【００１６】
図３は、ヘッダ３０を模式的に示す斜視図である。ヘッダ３０のヘッダ本体３２は、細長の略矩形状に形成された樹脂成型品であり、その外形がソケット本体１２よりも一回り程度小さい寸法に設定されている。ヘッダ３０は、周縁領域よりも内側に位置する内部領域が凹状に窪んだ略矩形状の底面部３３を有しており、この底面部３３の周囲に略枠形状の周壁部３４が形成されている。この周壁部３４は、ソケット本体１２の溝部１３と形状的と対応している。ヘッダ本体３２には、長手方向の中心線に対して両側に、複数のポスト３１が長手方向に沿ってそれぞれ並設されている。また、ヘッダ本体３２の一対の短手辺側の周壁部３４には、その中央部に、ソケット本体１２に挿入されるヘッダ本体３２を保持するためのフック部３６を備えた金属製の保持金具３５がそれぞれ設けられている。この保持金具３５は、後述するように、ソケット本体１２とヘッダ本体３２とが嵌合した場合に、ソケット１０側に設けられた保持プレート１７と位置的と対応するように設けられている。また、ヘッダ本体３２の外側壁面（具体的には、周壁部３４の外側壁面）は、ソケット本体１２における溝部１３との嵌合面となっている。
【００１７】
図４は、ソケット１０とヘッダ３０とが嵌合した状態のコネクタを模式的に示す正面図である。同図および図１に示すように、コネクタは、ソケット本体１２の溝部１３にヘッダ本体３２（具体的には、ヘッダ本体３２の周壁部３４）を挿入することにより、ソケット本体１２（ソケット１０）とヘッダ本体３２（ヘッダ３０）とが嵌合する。この際、ソケット１０側の個々のコンタクト１１と、ヘッダ３０側の個々のポスト３１とがそれぞれ接触することにより、一対のプリント配線板の間が電気的に接続される。
【００１８】
図５は、図４に示すコネクタのＡＡ断面を示す模式図である。ソケット１０のコネクタ溝１６に設けられる個々のコンタクト１１は、帯状の金属材を曲成することによって形成される。具体的には、コンタクト１１は、ソケット１０の周壁部１４を挟持している。このコンタクト１１は、その一方の端部側が、溝部１３の底部に沿ってソケットの内側（中央凸部１５側）に延在し、その後折り返された後に、外側に延在するとともに、その先端部が略Ｌ字形状に折り曲げられている。また、コンタクト１１は、その他方の端部側が周壁部１４の外側壁面の底部から外側に延在しており、この延在部がプリント配線板（第１の回路基板）の配線パターン（端子）に接続される接続端部として機能している。
【００１９】
これに対して、個々のポスト３１は、帯状の金属材を曲成することによって形成される。具体的には、ポスト３１は、ヘッダ３０の周壁部３４を挟持している。このポスト３１の一方の端部側は、周壁部３４に沿って外側壁面の中央部まで延在しており、他方の端部側は、周壁部３４が起立する底面部３３を貫通した後に、略直角に折り曲げられて、外側に延在している。この延在端部は、プリント配線基板（第２の回路基板）の配線パターン（端子）に接続される接続端部として機能している。
【００２０】
ここで、ソケット１０とヘッダ３０とが嵌合した状態において、ソケット１０側のコンタクト１１と、ヘッダ３０側のポスト３１とが互いに係合することにより、ソケット１０とヘッダ３０との嵌合を簡易的にロックすることができる。具体的には、コンタクト１１には、ソケット本体１２の周壁部１４の頂部と対応する位置に、内側（溝部１３側）へと凸状に湾曲したラウンド部１８が形成されている。一方、ポスト３１には、ヘッダ本体３２の周壁部３４の外側壁面と対応する位置に、外側へと突出する突起であるロックダボ３７が形成されている。コンタクト１１側のラウンド部１８とポスト３１側のロックダボ３７とは、ソケット１０とヘッダ３０とが嵌合した状態において互いに係合する位置関係に設けられているため、両者の係合によりソケット１０とヘッダ３０との嵌合を簡易的にロックすることができる。
【００２１】
図６は、コネクタのロック機構を示す説明図であり、図４に示すコネクタのＢＢ断面を示す模式図である。同図および図２を参照するに、ソケット本体１２において、一対の短手辺側の周壁部１４の中央部にそれぞれ設けられた保持プレート１７には、内外（周壁部１４の外側と溝部１３側との間）を貫通する貫通孔であるロック穴１９が形成されている。
【００２２】
これに対して、図６および図３を参照するに、ヘッダ本体３２において、一対の短手辺側の周壁部３４の中央部にそれぞれ設けられた保持金具３５には、周壁部３４の頂部近傍から外側へ向かいつつ、下方（図６に示すソケット１０への嵌合状態では、その向きは上方となる）に延在するフック形状のロック片３８が形成されている。このロック片３８は、保持金具３５が金属製であり、その先端部が自由端となっているため、部材の弾性力による板バネ構造を有している。この板バネ構造により、ロック片３８は、その先端部に周壁部３４方向への外力が作用することにより、その周壁部３４方向に変位可能となっている。
【００２３】
ここで、ソケット１０とヘッダ３０とが嵌合した状態において、図６に示すように、ヘッダ本体３２側の保持金具３５のロック片３８は、その先端部が、ソケット１０側の保持プレート１７におけるロック穴１９の内部に挿入した状態となる。
【００２４】
このような構成のコネクタにおいて、以下、ソケット１０に対するヘッダ３０の挿脱方法について説明する。まず、ソケット１０に対してヘッダ３０を挿入する場合には、ソケット本体１２の溝部１３が形成された側と、ヘッダ本体３２の周壁部３４が形成された側とを向き合わせ、かつ、ソケット本体１２の溝部１３と、ヘッダ本体３２の周壁部３４とを位置的に対応させた上で、ソケット本体１２の溝部１３にヘッダ本体３２を挿入することにより、両者が嵌合する。この嵌合にともない、ソケット１０側の個々のコンタクト１１と、ヘッダ３０側の個々のポスト３１とが互いに接触するとともに、コンタクト１１のラウンド部１８と、ポスト３１のロックダボ３７とが係合する。これら両者の係合により、ソケット１０とヘッダ３０との嵌合が簡易的にロックされる。また、ソケット１０とヘッダ３０とが嵌合することにより、ヘッダ３０側の保持金具３５のロック片３８は、その先端部が、ソケット１０側の保持プレート１７のロック穴１９に挿入された状態となる。なお、ソケット１０に対してヘッダ３０を挿入する場合、ヘッダ３０側のロック片３８が、ソケット１０側の保持プレート１７と機械的に干渉するものの、ロック片３８が板バネ構造となっていることにより、これが変形して内側へと撓むことにより、この干渉に阻まれることなく、ソケット１０に対してヘッダ３０を挿入することが可能となる。
【００２５】
このような嵌合状態において、コネクタに外力が作用して、ソケット１０からヘッダ３０が外れそうになった場合には、コンタクト１１のラウンド部１８とポスト３１のロックダボ３７との係合により、ソケット１０とヘッダ３０との嵌合がロックされるため、ソケット１０からヘッダ３０が外れるといった事態が抑制される。また、保持金具３５のロック片３８の先端部が保持プレート１７のロック穴１９に挿入されているため、コンタクト１１とポスト３１との係合を上回るような外力が作用してソケット１０からヘッダ３０が外れそうになったとしても、ロック片３８の先端部がロック穴１９に係合する。このようなロック片３８とロック穴１９との機械的に干渉により、ソケット１０とヘッダ３０との嵌合がロックされるため、ソケット１０からヘッダ３０が外れるといった事態が抑制される。
【００２６】
一方、ソケット１０からヘッダ３０を外す場合には、先端が尖鋭な工具などを利用して、保持プレート１７のロック穴１９を介し、ソケット本体１２の外側から、保持金具３５のロック片３８の先端部を内側に変位させる。この状態において、ヘッダ３０をソケット１０から離脱させる。この場合、ロック片３８を内側へと変位させることにより、ロック片３８がロック穴１９から外れ、両者の機械的が干渉がなくなるため、コンタクト１１のラウンド部１８とポスト３１のロックダボ３７との係合を解除させるのみで、ソケット１０からヘッダ３０を取り外すことができる。
【００２７】
このように本実施形態において、ソケット１０は、ソケット本体１２の溝部１３の周囲に位置する周壁部１４に、内外を貫通する貫通孔であるロック穴（本実施形態では、保持プレート１７に形成されたロック穴１９がこれに該当する）を有している。また、ヘッダ３０は、ソケット本体１２の溝部１３との嵌合面であるヘッダ本体３２の外側壁面から外側に向かって延在するフック形状のロック片（本実施形態では、保持金具３５のロック片３８がこれに該当する）を有している。ここで、ロック片は、ロック穴と位置的と対応して設けられており、ソケット本体１２とヘッダ本体３２とが嵌合することにより、フック形状の先端部がロック穴に挿入されてこれと係合する。
【００２８】
かかる構成によれば、ソケット１０とヘッダ３０との嵌合状態において、ソケット１０側のロック穴に、ヘッダ３０側のロック片が挿入しているため、コネクタに外力が作用し、ソケット１０からヘッダ３０が外れそうになったとしても、ロック穴にロック片が係合する。これにより、ロック穴とロック片とが機械的に干渉することにより、ソケット１０とヘッダ３０との嵌合をロックすることができる。また、ロック穴は貫通孔であるため、このロック穴を介して、ソケット本体１２の外側からロック片の先端部を内側方向に変形させることにより、ロック穴とロック片との係合状態が解除される。そのため、ソケット１０とヘッダ３０との挿脱を容易に行うことができる。さらに、ロック穴を介して、ロック穴とロック片との係合を解除する構成であるため、ロック穴に対するロック片のかかりしろを大きく設定することが可能であるため、ソケット１０とヘッダ３０との嵌合を強固にロックすることができる。
【００２９】
また、本実施形態において、ロック片は、先端部が自由端に構成された板バネ構造を有している。かかる構成によれば、ロック片の板バネ的な作用により、その変位量を大きくすることができるので、ロック穴とロック片との係合状態を容易に解除することができるるとともに、挿入時にこれが容易に変形することとなる。そのため、ソケット１０とヘッダとの挿脱をさらに容易に行うことができる。
【００３０】
（第２の実施形態）
図７は、本発明の第２の実施形態にかかるコネクタを模式的に示す斜視図である。以下、本実施形態にかかるコネクタについて説明する。このコネクタは、ソケット１０ａと、ヘッダ３０とで構成されている。なお、本実施形態にかかるコネクタを説明するにあたり、第１の実施形態と同様の構成については、符号を引用して説明を省略することとし、以下、相違点を中に説明を行う。
【００３１】
ソケット１０ａは、複数のコンタクト１１と、複数のコンタクト１１が配設されるソケット本体１２とを主体に構成されており、ヘッダ３０は、複数のポスト３１と、複数のポスト３１が配設されるヘッダ本体３２とを主体に構成されている。ソケット１０の個々のコンタクト１１は、プリント配線板のような第１の回路基板（図示せず）の複数の端子にそれぞれが半田付けによりそれぞれ接続されており、ヘッダ３０の個々のポスト３１は、プリント配線板のような第２の回路基板（図示せず）の複数の端子に半田付けによりそれぞれ接続されている。このコネクタは、ソケット本体１２とヘッダ本体３２とを接続し、複数のコンタクト１１と複数のポスト３１とを各々接触させることによって、一対の回路基板の間を電気的に接続する。
【００３２】
図８は、ソケット１０ａを模式的に示す斜視図である。ソケット１０ａのソケット本体１２は、第１の実施形態と同様に、略枠形状の溝部１３が形成されており、この溝部１３によって周壁部１４と中央凸部１５とが隔てられている。ソケット本体１２には、長手方向の中心線に対して両側に、複数のコネクタ溝１６が長手方向に沿ってそれぞれ並設されており、個々のコネクタ溝１６には、コンタクト１１がそれぞれ設けられている。また、ソケット本体１２の一対の短手辺側の周壁部３４には、その中央部に、周壁部３４の一部が切断されて不連続となるような開口がそれぞれ形成されており、また、その開口を塞ぐように、溝部１３側から保持プレート１７ａがそれぞれ設けられている。個々の保持プレート１７は、金属製のプレートであり、自身の溝部１３に挿入されるヘッダ３０を保持する機能を担っている。
【００３３】
本実施形態の特徴の一つとして、個々の保持プレート１７ａには、金属製のロック解除ピン２０が一体形成されている。ロック解除ピン２０は、保持プレート１７の下辺部より、外側に向かって延在して、その後折り返されることにより、略Ｌ字形状を有している。このロック解除ピン２０は、その先端部が、保持プレート１７のロック穴１９に臨むような格好となっている。
【００３４】
図９は、ヘッダ３０を模式的に示す斜視図である。ヘッダ３０のヘッダ本体３２は、周縁領域よりも内側に位置する内部領域が凹状に窪んだ略矩形状の底面部３３を有しており、この底面部３３の周囲に略枠形状の周壁部３４が形成されている。この周壁部３４は、ソケット本体１２の溝部１３と形状的と対応している。ヘッダ本体３２には、長手方向の中心線に対して両側に、複数のポスト３１が長手方向に沿ってそれぞれ並設されている。また、ヘッダ本体３２の一対の短手辺側の周壁部３４には、その中央部に、ソケット本体１２に挿入されるヘッダ本体３２を保持するためのフック部３６を備えた金属製の保持金具３５がそれぞれ設けられている。
【００３５】
このような構成のコネクタにおいて、以下、ソケット１０ａに対するヘッダ３０の挿脱方法について説明する。まず、ソケット１０ａに対してヘッダ３０を挿入する場合には、ソケット本体１２の溝部１３が形成された側と、ヘッダ本体３２の周壁部３４が形成された側とを向き合わせ、かつ、ソケット本体１２の溝部１３と、ヘッダ本体３２の周壁部３４とを位置的に対応させた上で、ソケット本体１２の溝部１３にヘッダ本体３２を挿入することにより、両者が嵌合する。この嵌合にともない、ソケット１０ａ側の個々のコンタクト１１と、ヘッダ３０側の個々のポスト３１とが互いに接触するとともに、コンタクト１１のラウンド部１８と、ポスト３１のロックダボ３７とが係合する。これら両者の係合により、ソケット１０ａとヘッダ３０との嵌合が簡易的にロックされる。また、ソケット１０ａとヘッダ３０とが嵌合することにより、ヘッダ３０側の保持金具３５のロック片３８は、その先端部が、ソケット１０ａ側の保持プレート１７のロック穴１９に挿入された状態となる。なお、ソケット１０ａに対してヘッダ３０を挿入する場合、ヘッダ３０側のロック片３８が、ソケット１０ａ側の保持プレート１７と機械的に干渉するものの、ロック片３８が板バネ構造となっていることにより、これが変形して内側へと撓むことにより、この干渉に阻まれることなく、ソケット１０ａに対してヘッダ３０を挿入することが可能となる。
【００３６】
このような嵌合状態において、コネクタに外力が作用して、ソケット１０ａからヘッダ３０が外れそうになった場合には、コンタクト１１のラウンド部１８とポスト３１のロックダボ３７との係合により、ソケット１０ａとヘッダ３０との嵌合がロックされるため、ソケット１０ａからヘッダ３０が外れるといった事態が抑制される。また、保持金具３５のロック片３８の先端部が保持プレート１７のロック穴１９に挿入されているため、コンタクト１１とポスト３１との係合を上回るような外力が作用してソケット１０ａからヘッダ３０が外れそうになったとしても、ロック片３８の先端部がロック穴１９に係合する。このようなロック片３８とロック穴１９との機械的に干渉により、ソケット１０ａとヘッダ３０との嵌合がロックされるため、ソケット１０ａからヘッダ３０が外れるといった事態が抑制される。
【００３７】
一方、ソケット１０ａからヘッダ３０を外す場合には、図１０に示すように、ロック解除ピン２０の折り曲げ部位に外力を作用させて、ロック穴１９方向へとロック解除ピン２０を変形させることにより、このロック解除ピン２０の先端部をロック穴１９へと挿入する。ロック解除ピン２０の挿入により、これがロック片３８の先端部に突き当たるとともに、ロック片３８を内側に変位させる。この状態において、ヘッダ３０をソケット１０ａから離脱させる。この場合、ロック片３８が内側へと変位しているため、ロック片３８がロック穴１９から外れ、両者の機械的が干渉がなくなる。よって、コンタクト１１のラウンド部１８とポスト３１のロックダボ３７との係合を解除させるのみで、ソケット１０ａからヘッダ３０を取り外すことができる。
【００３８】
このように本実施形態において、ソケット１０ａは、ソケット本体１２の周壁部１４の外側壁面の底部から外側方向に延在するとともに、先端部がロック穴１９に臨むように折り曲げられたロック解除ピン２０をさらに有している。このロック解除ピン２０は、外力に応じて自身が変形することにより、先端部をソケット本体１２の外側方向からロック穴１９に挿入可能となっている。
【００３９】
かかる構成によれば、第１の実施形態と同様の効果を奏するとともに、工具等を用いることなく、ロック解除ピン２０を変形させるのみ、ロック穴とロック片との係合状態が解除される。そのため、ソケット１０ａとヘッダ３０との挿脱を容易に行うことができる。
【図面の簡単な説明】
【００４０】
【図１】第１の実施形態にかかるコネクタを模式的に示す斜視図
【図２】ソケット１０を模式的に示す斜視図
【図３】ヘッダ３０を模式的に示す斜視図
【図４】ソケット１０とヘッダ３０とが嵌合した状態のコネクタを模式的に示す正面図
【図５】図４に示すコネクタのＡＡ断面を示す模式図
【図６】コネクタのロック機構を示す説明図
【図７】本発明の第２の実施形態にかかるコネクタを模式的に示す斜視図
【図８】ソケット１０ａを模式的に示す斜視図
【図９】ヘッダ３０を模式的に示す斜視図
【図１０】コネクタのロック機構を示す説明図
【図１１】従来例としてのコネクタを示す斜視図
【図１２】従来例としてのコネクタのロック機構を示す断面図
【符号の説明】
【００４１】
１０    ソケット
１０ａ  ソケット
１１    コンタクト
１２    ソケット本体
１３    溝部
１４    周壁部
１５    中央凸部
１６    コネクタ溝
１７    保持プレート
１７ａ  保持プレート
１８    ラウンド部
１９    ロック穴
２０    ロック解除ピン
３０    ヘッダ
３１    ポスト
３２    ヘッダ本体
３３    底面部
３４    周壁部
３５    保持金具
３６    フック部
３７    ロックダボ
３８    ロック片
５０    ソケット
５１    コンタクト
５２    溝部
５３    ロック凹部
６０    ヘッダ
６１    ポスト
６２    保持金具
６３    フック部
６４    ロックダボ
【図１】
2008270098.tif 000003
【図２】
2008270098.tif 000004
【図３】
2008270098.tif 000005
【図４】
2008270098.tif 000006
【図５】
2008270098.tif 000007
【図６】
2008270098.tif 000008
【図７】
2008270098.tif 000009
【図８】
2008270098.tif 000010
【図９】
2008270098.tif 000011
【図１０】
2008270098.tif 000012
【図１１】
2008270098.tif 000013
【図１２】
2008270098.tif 000014